(57)【要約】【課題】ファシリティ管理者によるケーブル配線等のファシリティの管理を容易とし、サーバラックに対する効率的な空調を可能とし、ファシリティ管理者とＩＴ管理者の動線を分離することでセキュリティを向上させるデータセンターのフロア構造を提供する。【解決手段】床スラブ１０１から所定の高さの位置に格子状に配置した大引鉄骨１１１および根太鉄骨１１２からなる支持部材と、支持部材の上部に配置したフリーアクセスフロア１２０とを有し、サーバエリア２０には、複数のサーバラック２００が、間にメンテナンス通路を構成するように列状に配置され、床下エリア１０は、データセンターの設備に係るメンテナンス作業を人が入って行うことが可能な高さを有し、さらに、床下エリア１０には、メンテナンス通路に設けられた開口部を通してサーバエリア２０に冷風を供給する給気ダクト３１０を有する。【選択図】図１
2011069542.tif 000002
【特許請求の範囲】
【請求項１】
多数のサーバを収納するデータセンターのフロア構造であって、
床スラブから所定の高さの位置に格子状に配置した鉄骨からなる支持部材と、
前記支持部材の上部に配置したフリーアクセスフロアとを有し、
前記フリーアクセスフロアの上部のサーバエリアには、前記フリーアクセスフロアの上に、前記サーバを収納する複数のサーバラックが、間にメンテナンス通路を構成するように列状に配置され、
前記フリーアクセスフロアの下部の床下エリアは、前記サーバに接続されるケーブルの配線を含む前記データセンターの設備に係るメンテナンス作業を、人が入って行うことが可能な高さを有し、
さらに、前記床下エリアには、１つ以上の前記メンテナンス通路の下部に、前記メンテナンス通路に沿って、前記メンテナンス通路部分の前記フリーアクセスフロアに設けられた開口部を通して前記サーバエリアに空調装置からの冷風を供給する給気ダクトを有することを特徴とするデータセンターのフロア構造。
【請求項２】
多数のサーバを収納するデータセンターのフロア構造であって、
床スラブから所定の高さの位置に格子状に配置した鉄骨からなる支持部材を有し、
前記支持部材の上面より上部のサーバエリアには、前記支持部材の上面に、前記サーバを収納する複数のサーバラックが、間にメンテナンス通路を構成するように列状に配置され、
前記メンテナンス通路には、前記支持部材の上面に、通気性を有するパネル状の部材からなる歩行部を有し、
前記支持部材の上面より下部の床下エリアは、前記サーバに接続されるケーブルの配線を含む前記データセンターの設備に係るメンテナンス作業を、人が入って行うことが可能な高さを有し、
さらに、前記床下エリアには、１つ以上の前記メンテナンス通路の下部に、前記メンテナンス通路に沿って、前記サーバエリアに空調装置からの冷風を供給する給気ダクトを有することを特徴とするデータセンターのフロア構造。
【請求項３】
請求項１または２に記載のデータセンターのフロア構造において、
前記支持部材は、底面が前記床スラブから１５００ｍｍ以上の高さとなる位置に配置され、
前記床下エリアの高さが２５００ｍｍ以下となるように構成されていることを特徴とするデータセンターのフロア構造。
【請求項４】
請求項１〜３のいずれか１項に記載のデータセンターのフロア構造において、
前記サーバエリアには、前記給気ダクトから冷風が供給される前記メンテナンス通路の上部を囲うアイルキャップを有することを特徴とするデータセンターのフロア構造。
【請求項５】
請求項１〜４のいずれか１項に記載のデータセンターのフロア構造において、
前記サーバエリアにおいて、前記サーバラックから熱風が排気される前記メンテナンス通路の上部に、前記メンテナンス通路に沿って、前記サーバラックから排気された熱風を回収して前記空調装置に還流する排気ダクトを有することを特徴とするデータセンターのフロア構造。
【請求項６】
請求項５に記載のデータセンターのフロア構造において、
前記排気ダクトの上部に、床部が隙間を有する部材によって構成された足場を有し、
前記足場から所定の高さの位置に、さらに上階層の前記サーバエリアおよび前記床下エリアを構成するための前記支持部材を有することを特徴とするデータセンターのフロア構造。
【請求項７】
多数のサーバを収納するデータセンターであって、
コンピュータ室が、請求項１〜６のいずれか１項に記載のデータセンターのフロア構造を有することを特徴とするデータセンター。
【発明の詳細な説明】
【技術分野】
【０００１】
本発明は、データセンターの構築技術に関し、特に、多数のサーバを収納する大規模データセンターのフロア構造およびデータセンターに適用して有効な技術に関するものである。
【背景技術】
【０００２】
データセンターでは、多数のサーバやルータ等のＩＣＴ（Information and Communication Technology）機器（以下では単に「サーバ」と記載する場合がある）を、サーバラック等を利用して収納する。サーバラック等を設置するコンピュータ室のフロア構造は、一般的に、各階層における床スラブ等の床面の上に、いわゆるフリーアクセスフロアによって二重床を構成し、その上にサーバラック等が複数配置される構造となっている。
【０００３】
ここで、サーバラックおよび収納されたサーバに対する電源や通信の供給のためのケーブルは、主に、本来の床面とフリーアクセスフロアによって上げ底にした床面との間の床下の空間を利用してサーバラックまで配線される。
【０００４】
また、サーバラックに収納された多数のサーバは、それぞれが熱を発するため、これを排出して冷却する必要があるが、このための冷風は、床下の空間から供給する方式が主流である。空調装置等から床下の空間に供給された冷風は、フリーアクセスフロアに設けられた開口部から床上に流れ、サーバラックの前面（もしくは背面や側面）側からサーバに供給されて、サーバラックの背面（もしくは前面や側面）側から排気される。排気された熱風は、天井面の排気グリル等から天井裏に流れるなどにより、空調装置等に還流する。
【０００５】
このような、フリーアクセスフロアによる二重床構造においては、床下のケーブルルートが煩雑化し、また、開口部以外は密閉されていて床下を直接視認できないことから、ケーブル等の敷設や管理には多大な負荷がかかっている。また、床下のケーブルルートが煩雑化することにより、煩雑化したケーブルが空調装置等から供給された冷風の風道を塞いで空調効率を低下させ、温度条件を悪化させる場合も生じている。このような状況は、例えばブレードサーバなど、近年のサーバ収納の高密度化によってさらに生じ易くなっている。
【０００６】
このような課題点に対して、例えば、特開２００２−１５５６３６号公報（特許文献１）には、建屋の階高に対して２〜３階層を吹抜けに構成し、この中に鉄骨等の架台にてサーバなどの機器を３〜４階層配置可能な通気性良好な積層ラック型架構を配し、当該架構フロア上に区画のメンテナンス通路プレートは通気性良好なグレーチング等で構成すると共に当該通路の設置機器寄りをグレーチングまたはエキスパンドメタルの通気性開閉蓋にて蓋された配線スペースとすることで、従来に比べ機器の設置に必要な建屋スペースを縮小し、かつ、機器排熱気流確保のもと配線の状態がそのまま確認できるので、メンテナンスが容易となるデータセンターが開示されている。
【先行技術文献】
【特許文献】
【０００７】
【特許文献１】特開２００２−１５５６３６号公報
【発明の概要】
【発明が解決しようとする課題】
【０００８】
データセンターにおける、従来の二重床構造のコンピュータ室では、上述したように、サーバ収納の高密度化に伴って、床下空間におけるケーブルルートが煩雑化し、適切なケーブルルートおよび風道の確保が困難となっている。この床下空間は、本来であればデータセンターのファシリティ管理者等によって適切に管理されるべき領域であるが、二重床構造の床下高は、約３０ｃｍ〜１ｍと低いため人が入って作業することは困難であり、また、開口部以外は密閉されており内部を視認することもできないため、実際は管理できていないのが現状である。
【０００９】
また、ケーブルルートの煩雑化への対応と、空調のための風道の確保の要求に伴って、二重床の高さは高くなってきており、さらに、サーバ収納の高密度化による重量の増加に伴って、二重床の単位面積あたりの積載荷重が増加してきている。これらの状況は、フリーアクセスフロアの性能向上を要求し、コスト増につながっている。
【００１０】
また、上述したように、床下空間から供給され、サーバラックに収納されたサーバを冷却して排気された熱風は、多くの場合、天井などのサーバラックの上部の空間を利用して回収されるが、サーバラックの配置や梁などの構造物が障害となり、効率よく排気できない場合が生じている。
【００１１】
一方、特許文献１に記載されたデータセンターの構造では、二重床構造を廃し、通気性良好な積層ラック型架構にサーバを積層し、メンテナンス通路に配線スペースを設けることで、機器排熱気流を確保しつつ配線の状態を確認できるようにして、メンテナンス性を向上させている。
【００１２】
しかしながら、近年のＩＣＴ機器では電源・通信共に大量のケーブルが接続されるため、ある程度自由に敷設ルートを確保できることが必要であるが、特許文献１に記載されたデータセンターの構造における、メンテナンス通路に設けられた配線スペースでは、大量のケーブルを収容する際の容量の確保が困難であるとともに、頻繁に発生するサーバの更新やメンテナンスに柔軟性を持って対応することが困難となる可能性が高い。
【００１３】
また、近年ではＩＣＴ機器の発熱量は従来と比較して非常に大きく、さらに、サーバ収納の高密度化に伴い、データセンター内でも局所的に大きな空調容量を必要とする箇所が散在する状況が見られる。このような場合、特許文献１に記載されたデータセンターの構造のように、大部屋を空調するよりも、サーバの負荷に合わせてスポット的に空調を供給することが可能である方が望ましい。なお、特許文献１に記載されたデータセンターの構造では、下段のサーバラックからの排熱を上段に給気することになり、上段のサーバラックの冷却効率が大きく低下する可能性がある。
【００１４】
また、従来の二重床構造のコンピュータ室、および特許文献１に記載されたデータセンターの構造ともに、サーバ機器の管理／メンテナンスを行うＩＴ管理者等と、データセンターの設備の管理／メンテナンスを行うファシリティ管理者等との作業エリアが分離されておらず、セキュリティの観点からは問題のある構造となっている。
【００１５】
そこで、本発明の目的は、ファシリティ管理者によるケーブル配線等のファシリティの管理／メンテナンスを容易とし、多数のサーバを収納したサーバラックに対する効率的な空調を可能とし、ファシリティ管理者とＩＴ管理者の動線を分離することでセキュリティを向上させるデータセンターのフロア構造およびデータセンターを提供することにある。
【００１６】
本発明の前記ならびにその他の目的と新規な特徴は、本明細書の記述および添付図面から明らかになるであろう。
【課題を解決するための手段】
【００１７】
本願において開示される発明のうち、代表的なものの概要を簡単に説明すれば、以下のとおりである。
【００１８】
本発明の代表的な実施の形態によるデータセンターのフロア構造は、床スラブから所定の高さの位置に格子状に配置した鉄骨からなる支持部材と、前記支持部材の上部に配置したフリーアクセスフロアとを有し、前記フリーアクセスフロアの上部のサーバエリアには、前記フリーアクセスフロアの上に、前記サーバを収納する複数のサーバラックが、間にメンテナンス通路を構成するように列状に配置され、前記フリーアクセスフロアの下部の床下エリアは、前記サーバに接続されるケーブルの配線を含む前記データセンターの設備に係るメンテナンス作業を、人が入って行うことが可能な高さを有し、さらに、前記床下エリアには、１つ以上の前記メンテナンス通路の下部に、前記メンテナンス通路に沿って、前記メンテナンス通路の前記フリーアクセスフロアに設けられた開口部を通して前記サーバエリアに空調装置からの冷風を供給する給気ダクトを有することを特徴とするものである。
【発明の効果】
【００１９】
本願において開示される発明のうち、代表的なものによって得られる効果を簡単に説明すれば以下のとおりである。
【００２０】
本発明の代表的な実施の形態によれば、データセンターのコンピュータ室のフロア構造を、床下空間にファシリティ管理者が入って作業を行うことが可能な高床式構造とし、各種配線・配管等のファシリティの管理や工事等は全て床下から行うようにすることで、ファシリティ管理者によるファシリティの管理／メンテナンスを容易とすることができるとともに、ＩＴ管理者との動線を分離してセキュリティを向上させることができる。また、サーバラックに対する給気／排気にはダクト等を用いることで、必要な部分に対して効率的な空調を行うことが可能となる。
【図面の簡単な説明】
【００２１】
【図１】本発明の実施の形態１であるデータセンターにおけるコンピュータ室のフロア構造の例について概要を示した図である。
【図２】本発明の実施の形態２であるデータセンターにおけるコンピュータ室のフロア構造の例について概要を示した図である。
【図３】従来のデータセンターにおけるコンピュータ室のフロア構造の例について概要を示した図である。
【発明を実施するための形態】
【００２２】
以下、本発明の実施の形態を図面に基づいて詳細に説明する。なお、実施の形態を説明するための全図において、同一部には原則として同一の符号を付し、その繰り返しの説明は省略する。また、以下においては、本発明の特徴を分かり易くするために、従来の技術と比較して説明する。
【００２３】
＜概要＞
図３は、従来のデータセンターにおけるコンピュータ室のフロア構造の例について概要を示した図である。従来のデータセンターにおけるコンピュータ室では、上述したように、一般的にはフリーアクセスフロア１２０（二重床）の上部（サーバエリア２０）に複数のサーバラック２００が、間にメンテナンス通路を構成するように列状に並べて配置される構造となっている。図３の例では、各列の奥行き方向に複数のサーバラック２００が並べられているものとする。
【００２４】
ここで、サーバラック２００およびサーバラック２００に収納された複数のサーバに対する電源を供給するための電源ケーブル４１０は、フリーアクセスフロア１２０の下部の床下エリア１０を利用してサーバラック２００まで配線される。
【００２５】
図３の例では、電源ケーブル４１０は、サーバラック２００の各列の下部の床下エリア１０で、敷設用のラダー等を利用してまとめた状態で配線されているが、ラダー等を用いず床下エリア１０で床スラブ１０１上に直接敷設して配線される場合もある。また、各サーバに対する通信を供給するための通信ケーブル４２０は、敷設用のラダー等を利用して、サーバラック２００の各列の上部で配線されているが、電源ケーブル４１０と同様に床下エリア１０に配線されている場合もある。
【００２６】
また、サーバラック２００に収納された多数のサーバは、それぞれが熱を発するため、これを排出して冷却する必要があるが、冷却のための冷風は、床下エリア１０から供給する方式が主流である。空調装置（図示しない）等から床下エリア１０に供給された冷風は、メンテナンス通路部分のフリーアクセスフロア１２０に設けられた開口部からサーバエリア２０に供給され、サーバラック２００の前面（もしくは背面や側面）側からサーバに供給されて、サーバラック２００の背面（もしくは前面や側面）側から排気される。排気された熱風は、天井面１５０の排気グリル等から天井裏エリア３０に流れるなどにより、空調装置等に還流する。
【００２７】
ここで、床下エリア１０には電源ケーブル４１０などの各種配線や配管などが敷設されており、本来であればデータセンターのファシリティ管理者５２０によって適切に管理されるべき領域である。しかし、床下エリア１０は、高さが約３０ｃｍ〜１ｍと低いため人が入って作業することは困難であり、また、冷風を通すための開口部以外はフリーアクセスフロア１２０によって密閉されており内部を視認できないため、実際は管理できていないのが現状である。
【００２８】
また、近年のサーバ収納の高密度化によって、床下エリア１０における電源ケーブル４１０などのケーブルルートが煩雑化することにより、煩雑化したケーブルが床下エリア１０での冷風の風道を塞いで空調効率を低下させ、温度条件を悪化させる場合も生じている。また、サーバラック２００から天井裏エリア３０に排気された熱風についても、サーバラック２００の配置や、天井スラブ１０２における梁などの構造物が障害となり、効率よく排気できない場合が生じている。
【００２９】
さらに、サーバラック２００に収納されたサーバの管理／メンテナンスを行うＩＴ管理者５１０と、ファシリティ管理者５２０がともにサーバエリア２０で作業を行う状態となることから、両者の作業エリアが物理的に分離されておらず、セキュリティの観点からは問題のある構造となっている。
【００３０】
そこで、本発明の一実施の形態であるデータセンターのフロア構造は、床下エリア１０を高くとってファシリティ管理者５２０が入って作業を行うことが可能な高床式構造とし、各種配線や配管等のファシリティの管理や工事等は全て床下エリア１０において行うようにすることで、ファシリティ管理者５２０によるファシリティの管理／メンテナンスを容易とするものである。
【００３１】
また、ＩＴ管理者５１０が作業を行う領域と、ファシリティ管理者５２０が作業を行う領域とを、サーバエリアと床下エリアとに分離することでセキュリティの向上を図り、さらに、サーバラック２００に対する給気／排気にはダクトやアイルキャップなどを用いることで、必要な部分に対して効率的な空調を行うことを可能とするものである。
【００３２】
＜実施の形態１＞
図１は、本発明の実施の形態１であるデータセンターにおけるコンピュータ室のフロア構造の例について概要を示した図である。本実施の形態のデータセンターのフロア構造では、図３に示した従来のデータセンターにおけるフロア構造の例と異なり、フリーアクセスフロア１２０を床スラブ１０１上に配置するのではなく、例えば、床スラブ１０１から所定の高さに格子状に配置した大引鉄骨１１１および根太鉄骨１１２からなる格子（以下では単に「支持部材」という場合がある）の上に配置することにより、床下エリア１０として、ファシリティ管理者５２０が入って作業することが可能な領域を確保した高床式構造としている。
【００３３】
なお、支持部材を配置する高さ（床スラブ１０１上面から大引鉄骨１１１（支持部材）の底面までの高さ）、および床下エリア１０の高さは、ファシリティ管理者５２０が管理／メンテナンス作業を行うことが十分に可能な高さであれば、特に制限はされないが、例えば、図１の例に示すように、床スラブ１０１から１５００ｍｍ以上の高さに支持部材を配置し、床下エリア１０が２５００ｍｍ以下（望ましくは２０００ｍｍ程度）の高さとなるように、フリーアクセスフロア１２０の高さなどを調整するのが効果的である。
【００３４】
このように床下エリア１０を高くとった高床式構造とすることにより、床下エリア１０に電源ケーブル４１０などの配線や配管などを敷設する場合であっても、これらを含むファシリティの管理や工事は、フリーアクセスフロア１２０を取り外したりすることなく、全て床下エリア１０においてファシリティ管理者５２０が容易に行うことができる。
【００３５】
なお、図１の例では、図３の例と同様に、フリーアクセスフロア１２０の上に複数のサーバラック２００が、間にメンテナンス通路を構成するように列状に並べて配置される構造となっている。また、電源ケーブル４１０は、敷設用のラダー等を利用して床下エリア１０に配線し、通信ケーブル４２０は、敷設用のラダー等を利用してサーバラック２００の上部で配線する構成としている。通信ケーブル４２０については、電源ケーブル４１０と同様に床下エリア１０に配線してもよい。
【００３６】
本実施の形態のデータセンターのフロア構造では、さらに、床下エリア１０において、１つ以上のメンテナンス通路の下部に、給気ダクト３１０をメンテナンス通路に沿って（図１における奥行き方向に）配置し、空調装置（図示しない）からの冷風を、メンテナンス通路部分のフリーアクセスフロア１２０に設けられた開口部を通してサーバエリア２０に供給する。
【００３７】
これにより、床下エリア１０におけるケーブルルートや他の設置物・構造物等に風道を妨げられることなく、サーバラック２００に対して効率的な冷風の供給を行うことが可能となる（支持部材は格子状であるため、給気ダクト３１０からの冷風を妨げることはない）。また、負荷の高いサーバラック２００（の列）に対してスポット的に冷風を供給するよう制御することも可能となる。なお、フリーアクセスフロア１２０の開口部の下部の位置に、給気ダクト３１０ではなく空調装置本体を直接配置するようにしてもよい。
【００３８】
また、サーバエリア２０において、サーバラック２００の列の上部（例えば、フリーアクセスフロア１２０による床面から３０００ｍｍ程度の高さ）には、例えば、冷風が供給されるメンテナンス通路（コールドアイル）の上部を囲うようにアイルキャップ１３０を設けている。これにより、床下エリア１０から供給された冷風と、サーバラック２００から排気された熱風とが分離されるようにし、空調効率を向上させている。なお、床面にフリーアクセスフロア１２０を用いて開口部以外を密閉することにより、ＩＴ管理者５１０の歩行等を容易にするとともに、冷風と熱風との分離を維持することができる。
【００３９】
サーバラック２００から排気された熱風は、例えば、アイルキャップ１３０の上部の天井裏エリア３０を排気チャンバーとして排気され、空調装置に還流する。なお、図１の例では、給気ダクト３１０から冷風を供給されるメンテナンス通路（コールドアイル）と、サーバラック２００から熱風が排気されるメンテナンス通路（ホットアイル）とが１列おきに交互に構成されるように給気ダクト３１０等を配置しているが、このような配置パターンに限らず、他の配置パターンであってもよい。
【００４０】
以上に説明したように、本実施の形態のデータセンターのフロア構造によれば、床下エリア１０を高くとってファシリティ管理者５２０が入って作業を行うことが可能な高床式構造とし、各種配線や配管等のファシリティの管理や工事等は全て床下エリア１０において行うようにすることで、ファシリティ管理者５２０によるファシリティの管理／メンテナンスの作業を容易とすることができる。
【００４１】
また、ＩＴ管理者５１０が作業を行う領域と、ファシリティ管理者５２０が作業を行う領域とを、サーバエリア２０と床下エリア１０とに分離することで、セキュリティの向上を図ることができる。さらに、サーバラック２００に対する冷風の給気に給気ダクト３１０を用い、サーバエリア２０ではアイルキャップ１３０を用いることで、床下エリア１０の配線や構造物等に影響されず、効率の高い空調を行うことが可能である。
【００４２】
＜実施の形態２＞
図２は、本発明の実施の形態２であるデータセンターにおけるコンピュータ室のフロア構造の例について概要を示した図である。本実施の形態のデータセンターのフロア構造では、図１に示した実施の形態１のデータセンターにおけるフロア構造の例と異なり、天井スラブ１０２を廃し、天井裏エリアを、さらに上層のサーバエリア２１に対する床下エリアと共通化して床下／天井裏エリア３１としている。
【００４３】
このような構成とするため、サーバエリア２０において、ホットアイルとなるメンテナンス通路の上部に、メンテナンス通路に沿って（図２における奥行き方向に）、熱風を回収する排気ダクト３２０を設けている。これにより、排気ダクト３２０およびアイルキャップ１３１の上部に熱風が流れることがなくなるため、その上部（例えば、サーバエリア２０の床面から３０００ｍｍ程度の高さ）に、例えば、床部がエキスパンドメタルや、ぶどう棚状の鉄格子などの隙間を有する部材で構成されたキャットウォーク１４０（足場）を設けることで、床下／天井裏エリア３１を構成することができる。
【００４４】
なお、このとき例えば、アイルキャップ１３１を、図２に示すように通信ケーブル４２０等を囲わないような構成とすることで、ファシリティ管理者５２０が、床下／天井裏エリア３１からキャットウォーク１４０の底面の隙間等を介して、通信ケーブル４２０等の配線や、サーバラック２００の上部における管理／メンテナンス作業などを行うことが可能である。
【００４５】
このキャットウォーク１４０の底面より上部の領域を床下／天井裏エリア３１とし、この領域に床下エリア１０と同様の構成を設ける。すなわち、キャットウォーク１４０の底面から、ファシリティ管理者５２０が作業可能な領域を確保できる所定の高さの位置に、大引鉄骨１１１および根太鉄骨１１２からなる格子（支持部材）を配置することで、この上部を上階層のサーバエリア２１とする階層構造をとることが可能である。このとき、この床下／天井裏エリア３１は、サーバエリア２０に対する天井裏エリアであるとともに、その上階層のサーバエリア２１に対する電源ケーブル４１０等の配線や各種配管などのファシリティに対する管理／メンテナンス作業を行う床下エリアを兼ねることになる。
【００４６】
なお、近年のサーバ収納の高密度化による重量の増加に伴って、図１などにおけるフリーアクセスフロア１２０の性能向上が要求され、コスト増につながっているという点を考慮して、図２の例に示すように、フリーアクセスフロア１２０を廃し、支持部材（根太鉄骨１１２）の上面に直接サーバラック２００を配置する構成とすることも可能である（この場合、支持部材の上面によってサーバエリア２０と床下エリア１０が画される）。
【００４７】
このとき、実施の形態１と同様に、例えば、床スラブ１０１から１５００ｍｍ以上の高さに支持部材を配置し、床下エリア１０が２５００ｍｍ以下（望ましくは２０００ｍｍ程度）の高さとなるように、支持部材を配置するのが効果的である。また、格子状に組まれた支持部材の鉄骨の上にサーバラック２００が配置可能となるように、必要に応じて、サーバラック２００の各列をモジュール化したユニットとするなどの対応を行ってもよい。
【００４８】
またこのとき、メンテナンス通路部分の支持部材（根太鉄骨１１２）の上面には、フリーアクセスフロア１２０と比べて安価であり、ＩＴ管理者５１０の歩行が容易となり、かつ、給気ダクト３１０からの冷風を遮らないよう、例えば、エキスパンドメタルなどの通気性を有するパネル状の部材からなる歩行部１２１を設ける。なお、ホットアイルとなるメンテナンス通路の上は、例えば、通気性を有さないパネル状の部材からなる歩行部１２２として、冷風と熱風の分離を図ってもよい。
【００４９】
以上に説明したように、本実施の形態のデータセンターのフロア構造によれば、サーバラック２００から排気された熱風の回収に排気ダクト３２０を用い、天井裏エリアを、キャットウォーク１４０を床部とした床下／天井裏エリア３１とすることで、ファシリティ管理者５２０によるサーバエリア２０の上部（天井裏エリア）の管理／メンテナンスを容易にすることができる。
【００５０】
また、床下／天井裏エリア３１によって、サーバエリア２０の天井裏エリアと、その上階層のサーバエリア２１の高床式構造の床下エリアとを共通化することで、天井スラブ１０２を廃し、コストを抑えて階層構造を有するデータセンターを構築することができる。また、大引鉄骨１１１および根太鉄骨１１２からなる格子（支持部材）の上に直接サーバラック２００を配置する構成とすることで、フリーアクセスフロア１２０を廃し、さらにコストを抑えることができる。
【００５１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００５２】
例えば、実施の形態１および実施の形態２に示したフロア構造は、図１および図２に示した構造に限定されず、床下エリア１０（もしくは床下／天井裏エリア３１）により高床式構造を有する限り、例えば、実施の形態１におけるフロア構造に対して図２に示した排気ダクト３２０を適用したり、実施の形態２におけるフロア構造に対して図１に示したフリーアクセスフロア１２０を適用したりなど、空調効率やコスト等の各種要件に応じて適宜組み合わせたフロア構造とすることが可能である。
【産業上の利用可能性】
【００５３】
本発明は、多数のサーバを収納する大規模データセンターのフロア構造およびデータセンターに利用可能である。
【符号の説明】
【００５４】
１０…床下エリア、２０、２１…サーバエリア、３０…天井裏エリア、３１…床下／天井裏エリア、
１０１…床スラブ、１０２…天井スラブ、１１１…大引鉄骨、１１２…根太鉄骨、１２０…フリーアクセスフロア、１２１、１２２…歩行部、１３０、１３１…アイルキャップ、１４０…キャットウォーク、１５０…天井面、
２００…サーバラック、
３１０…給気ダクト、３２０…排気ダクト、
４１０…電源ケーブル、４２０…通信ケーブル、
５１０…ＩＴ管理者、５２０…ファシリティ管理者。
【図１】
2011069542.tif 000003
【図２】
2011069542.tif 000004
【図３】
2011069542.tif 000005